(57)【要約】【課題】長期間にわたって電気プラグを保護できる電気プラグ用の保護装置を提供する。【解決手段】保護装置１０が、電気プラグ２に装着される装着部１１と、装着部１１と連結されて、刃部２ｂが突出する先端側とは反対側の後端側に向かって延びると共に、弾性変形により抜差方向に沿って伸縮可能な絶縁性の内側弾性部１２と、内側弾性部１２と後端側で連結されて、抜差軸Ｘの軸周りで電気プラグ２の周囲を囲う状態で後端側から先端側に向けて延びると共に、弾性変形により抜差方向に沿って伸縮可能な絶縁性の外側弾性部１３とを備え、外側弾性部１３は、外力によって収縮していない状態での先端側から後端側までの長さが、刃部２ｂの持ち手部２ａからの突出長さよりも長く形成されており、電気プラグ２の刃部２ｂが電気コンセントに差し込まれた差込状態で放置されているとき、外側弾性部１３は持ち手部２ａを抜差軸Ｘの軸周りで囲む状態になる。【選択図】図２
2018018676.tif 000002
【特許請求の範囲】
【請求項１】
電気機器の電気コードに接続される持ち手部と、当該持ち手部から先端側に向けて突出する刃部とを備える電気プラグの周囲の少なくとも一部を、電気コンセントに対する前記電気プラグの前記刃部の抜差方向に沿った抜差軸の軸周りで囲う電気プラグ用の保護装置であって、
前記電気プラグに対して装着される装着部と、
前記装着部と連結されて、当該装着部から、前記刃部が突出する先端側とは反対側の後端側に向かって延びると共に、弾性変形により前記抜差方向に沿って伸縮可能な絶縁性の内側弾性部と、
内径側に配置される前記内側弾性部と後端側で連結されて、前記抜差軸の軸周りで前記電気プラグの周囲を囲う状態で後端側から先端側に向けて延びると共に、弾性変形により前記抜差方向に沿って伸縮可能な絶縁性の外側弾性部とを備え、
前記外側弾性部は、外力によって収縮していない状態での先端側から後端側までの長さが、前記刃部の前記持ち手部からの突出長さよりも長く形成されており、
前記電気プラグの前記刃部が前記電気コンセントに差し込まれた差込状態で放置されているとき、前記外側弾性部は、前記持ち手部を前記抜差軸の軸周りで囲む状態になるように構成されている電気プラグ用の保護装置。
【請求項２】
前記差込状態において、前記外側弾性部及び前記内側弾性部が接触体で後端側から先端側へと押し込まれると、前記外側弾性部は、後端側が前記接触体に接触し且つ先端側が前記電気コンセントに接触した状態で前記接触体と前記電気コンセントとの間で挟まれて収縮し、及び、前記内側弾性部は、後端側が前記接触体に接触し且つ先端側が前記装着部によって前記電気プラグに固定された状態で前記接触体と前記装着部との間で挟まれて収縮することで、前記持ち手部が前記外側弾性部及び前記内側弾性部によって囲まれていない領域が作り出されるように構成されている請求項１に記載の電気プラグ用の保護装置。
【請求項３】
前記差込状態にある前記電気プラグの前記持ち手部を前記接触体で持って前記電気プラグの前記刃部を前記電気コンセントから抜き取る過程で、前記刃部が前記電気コンセントから抜き取られるにつれて、前記電気コンセントと前記電気プラグの前記持ち手部を持っている前記接触体との間隔が広がることで、前記外側弾性部は、後端側が前記接触体に接触し且つ先端側が前記電気コンセントに接触した状態を保ちながら伸長し始め、最終的には後端側が前記接触体に接触し且つ先端側が前記電気コンセントから離れて最も伸長した状態になって、前記電気プラグの先端側に向けて前記外側弾性部が前記持ち手部よりも延出した状態が作り出されるように構成されている請求項２に記載の電気プラグ用の保護装置。
【請求項４】
前記装着部は、弾性変形可能な板状部材に、前記電気プラグの前記刃部が挿通される孔部が形成された構造になっており、
前記装着部の前記孔部に前記電気プラグの前記刃部が挿通されると、前記装着部の弾性力により前記電気プラグに対して前記装着部が密着して、前記装着部が前記電気プラグに対して固定される請求項１〜３の何れか一項に記載の電気プラグ用の保護装置。
【請求項５】
前記外側弾性部は、前記抜差方向に伸縮変形可能な蛇腹形状の筒状体で構成されている請求項１〜４の何れか一項に記載の電気プラグ用の保護装置。
【請求項６】
前記外側弾性部又は前記内側弾性部の後端側に重りが設けられている請求項１〜５の何れか一項に記載の電気プラグ用の保護装置。
【発明の詳細な説明】
【技術分野】
【０００１】
本発明は、電気機器の電気コードに接続される持ち手部と、その持ち手部から先端側に向けて突出する刃部とを備える電気プラグの周囲の少なくとも一部を、電気コンセントに対する電気プラグの刃部の抜差方向に沿った抜差軸の軸周りで囲う電気プラグ用の保護装置に関する。
【背景技術】
【０００２】
特許文献１には、電気プラグの周囲の少なくとも一部を囲う電気プラグ用の保護装置が記載されている。具体的には、特許文献１には、ゴム又はビニール等の絶縁体を用いて蛇腹状に形成されたカバーを電気プラグの根本部分に装着することが記載されている。このカバーは、外力が加えられていない状態で、電気プラグの根本部分から、電気プラグの持ち手部及びその持ち手部から突出する刃部までを覆い隠す構造になっている（特許文献１の第１図）。そして、このカバー付きの電気プラグの刃部を電気コンセントに差し込むと、蛇腹状のカバーが、その根本部分と電気コンセントとの間で圧縮されて収縮した状態になる（特許文献１の第２図）。
【先行技術文献】
【特許文献】
【０００３】
【特許文献１】実開昭６２−８６０８３号公報
【発明の概要】
【発明が解決しようとする課題】
【０００４】
特許文献１に記載の電気プラグ用の保護装置では、電気プラグの刃部が電気コンセントに差し込まれている間、カバーは常に圧縮された状態になっている。そのため、電気プラグの刃部が電気コンセントに長期間にわたって差し込まれたままになると、カバーに圧縮癖が付き、その圧縮された状態から復元できなくなる可能性がある。その場合、次に電気プラグの刃部が電気コンセントから抜き取られても、圧縮癖がついて圧縮されたままの状態になっているカバーでは刃部を覆い隠すことができず、刃部を保護するという役割を果たすことができなくなる。
尚、そのような問題を解決するために、圧縮癖がつかないようにカバーの弾性力を強くすることもできる。しかし、そうすると、電気プラグの刃部を電気コンセントに差し込んだときに、その強力な弾性力によって電気プラグの刃部が電気コンセントから自然に抜ける可能性がある。
【０００５】
本発明は、上記の課題に鑑みてなされたものであり、その目的は、長期間にわたって電気プラグを保護する役割を果たすことができる電気プラグ用の保護装置を提供する点にある。
【課題を解決するための手段】
【０００６】
上記目的を達成するための本発明に係る電気プラグ用の保護装置の特徴構成は、電気機器の電気コードに接続される持ち手部と、当該持ち手部から先端側に向けて突出する刃部とを備える電気プラグの周囲の少なくとも一部を、電気コンセントに対する前記電気プラグの前記刃部の抜差方向に沿った抜差軸の軸周りで囲う電気プラグ用の保護装置であって、
前記電気プラグに対して装着される装着部と、
前記装着部と連結されて、当該装着部から、前記刃部が突出する先端側とは反対側の後端側に向かって延びると共に、弾性変形により前記抜差方向に沿って伸縮可能な絶縁性の内側弾性部と、
内径側に配置される前記内側弾性部と後端側で連結されて、前記抜差軸の軸周りで前記電気プラグの周囲を囲う状態で後端側から先端側に向けて延びると共に、弾性変形により前記抜差方向に沿って伸縮可能な絶縁性の外側弾性部とを備え、
前記外側弾性部は、外力によって収縮していない状態での先端側から後端側までの長さが、前記刃部の前記持ち手部からの突出長さよりも長く形成されており、
前記電気プラグの前記刃部が前記電気コンセントに差し込まれた差込状態で放置されているとき、前記外側弾性部は、前記持ち手部を前記抜差軸の軸周りで囲む状態になるように構成されている点にある。
【０００７】
上記特徴構成によれば、電気プラグの刃部が電気コンセントに差し込まれた差込状態で放置されているとき、外側弾性部は、後端側が内側弾性部と連結された状態で先端側に向けて延在して、持ち手部を抜差軸の軸周りで囲む状態になっている。つまり、差込状態では、電気プラグの持ち手部の周囲は外側弾性部によって囲まれているため、指などの接触体で持ち手部を持つためには、外側弾性部を電気プラグの後端側から先端側に向けて押し出すようにして収縮させてその持ち手部を露出させる必要がある。また、電気プラグを電気コンセントから抜き取った状態で、持ち手部が接触体で持たれていると、即ち、外側弾性部の後端側が先端側へと押し込まれた状態になっていると、外側弾性部は外力によって収縮していない状態での先端側から後端側までの長さが刃部の持ち手部からの突出長さよりも長く形成されているので、外側弾性部が持ち手部よりも先端側に向けて延出して、その外側弾性部で刃部の全て又は大部分が囲まれることになる。従って、電気プラグを電気コンセントから抜き取ったときに持ち手部が接触体で持たれていると、外側弾性部で刃部の全て又は大部分が囲まれるため、刃部に人体が接触することを防止できる。
【０００８】
また、電気プラグの刃部が電気コンセントに差し込まれた差込状態で放置されているとき、外側弾性部は、後端側が内側弾性部と連結された状態で先端側に向けて延在して、持ち手部を抜差軸の軸周りで囲む状態になっている。つまり、差込状態にあるとき、外側弾性部は、抜差方向での長さが持ち手部の長さ以上になった状態で、持ち手部を抜差軸の軸周りで囲んでいる。このように、電気プラグの刃部が電気コンセントに対して長期間にわたって差し込まれていても、その間、外側弾性部は少なくとも持ち手部の長さ以上の長さになっており、大きく収縮した状態にはなっていない。従って、外側弾性部に収縮癖がつくとしても、持ち手部の長さ以上の長さは保っているので、次に電気プラグを電気コンセントから抜き取ったときに持ち手部が接触体で持たれていると、外側弾性部で刃部の全て又は大部分を囲むことができて、刃部に人体が接触することを防止できる。
従って、長期間にわたって電気プラグを保護する役割を果たすことができる電気プラグ用の保護装置を提供できる。
【０００９】
本発明に係る電気プラグ用の保護装置の別の特徴構成は、前記差込状態において、前記外側弾性部及び前記内側弾性部が接触体で後端側から先端側へと押し込まれると、前記外側弾性部は、後端側が前記接触体に接触し且つ先端側が前記電気コンセントに接触した状態で前記接触体と前記電気コンセントとの間で挟まれて収縮し、及び、前記内側弾性部は、後端側が前記接触体に接触し且つ先端側が前記装着部によって前記電気プラグに固定された状態で前記接触体と前記装着部との間で挟まれて収縮することで、前記持ち手部が前記外側弾性部及び前記内側弾性部によって囲まれていない領域が作り出されるように構成されている点にある。
【００１０】
上記特徴構成によれば、電気プラグの刃部が電気コンセントに差し込まれた差込状態にあるとき、持ち手部を指などの接触体で持つために外側弾性部及び内側弾性部が接触体で後端側から先端側へ向けて押し込まれると、外側弾性部は接触体と電気コンセントとの間で挟まれて収縮し、及び、内側弾性部は接触体と装着部との間で挟まれて収縮することで、持ち手部が外側弾性部及び内側弾性部によって囲まれていない領域が作り出される。その結果、持ち手部を指などの接触体で持つことができる。
【００１１】
本発明に係る電気プラグ用の保護装置の更に別の特徴構成は、前記差込状態にある前記電気プラグの前記持ち手部を前記接触体で持って前記電気プラグの前記刃部を前記電気コンセントから抜き取る過程で、前記刃部が前記電気コンセントから抜き取られるにつれて、前記電気コンセントと前記電気プラグの前記持ち手部を持っている前記接触体との間隔が広がることで、前記外側弾性部は、後端側が前記接触体に接触し且つ先端側が前記電気コンセントに接触した状態を保ちながら伸長し始め、最終的には後端側が前記接触体に接触し且つ先端側が前記電気コンセントから離れて最も伸長した状態になって、前記電気プラグの先端側に向けて前記外側弾性部が前記持ち手部よりも延出した状態が作り出されるように構成されている点にある。
【００１２】
上記特徴構成によれば、差込状態にある電気プラグの持ち手部を接触体で持って電気コンセントから抜き取る過程で、刃部が電気コンセントから抜き取られるにつれて、外側弾性部は、後端側が接触体に接触し且つ先端側が電気コンセントに接触した状態を保ちながら伸長し始め、最終的には後端側が接触体に接触し且つ先端側が電気コンセントから離れて最も伸長した状態になって、電気プラグの先端側に向けて持ち手部よりも延出した状態になる。従って、差込状態にある電気プラグの持ち手部を接触体で持って電気コンセントから抜き取る途中及び抜き取った後、常に、外側弾性部によって刃部の全て又は大部分を囲むことができて、刃部に人体が接触することを防止できる。
【００１３】
本発明に係る電気プラグ用の保護装置の更に別の特徴構成は、前記装着部は、弾性変形可能な板状部材に、前記電気プラグの前記刃部が挿通される孔部が形成された構造になっており、
前記装着部の前記孔部に前記電気プラグの前記刃部が挿通されると、前記装着部の弾性力により前記電気プラグに対して前記装着部が密着して、前記装着部が前記電気プラグに対して固定される点にある。
【００１４】
上記特徴構成によれば、装着部の弾性力により保護装置が電気プラグに対して固定されるので、接着剤などで固定する場合などに比べて、電気プラグに対する保護装置の取り付け及び取り外しを容易に行うことができる。
【００１５】
本発明に係る電気プラグ用の保護装置の更に別の特徴構成は、前記外側弾性部は、前記抜差方向に伸縮変形可能な蛇腹形状の筒状体で構成されている点にある。
【００１６】
上記特徴構成によれば、外側弾性部が蛇腹形状の筒状体で構成されていると、その筒状体の側面部分、即ち、蛇腹形状部分を指などの接触体で持ち難くなる。その結果、電気コンセントの持ち手部を指などの接触体で持とうとする場合には、外側弾性部及び内側弾性部を接触体によって後端側から先端側へと押し込んで収縮させることで持ち手部を持つような手法が自然と行われるようになる。そして、そのような持ち方が実施されると、差込状態にある電気プラグの持ち手部を接触体で持って電気コンセントから抜き取る途中及び抜き取った後、常に、外側弾性部によって刃部の全て又は大部分を囲むことができて、刃部に人体が接触することを防止できる。
【００１７】
本発明に係る電気プラグ用の保護装置の更に別の特徴構成は、前記外側弾性部又は前記内側弾性部の後端側に重りが設けられている点にある。
【００１８】
上記特徴構成によれば、差込口が下向きになっている屋外コンセントなどに対して、電気プラグが下方から上方に向けて差し込まれたとき、重りの重さによって外側弾性部の後端側が下方に、即ち、電気コンセントから離れて伸長する方向に付勢される。加えて、外側弾性部の後端側で連結されている内側弾性部の後端側も、重りの重さによって内側弾性部の後端側が下方に、即ち、電気コンセントから離れて伸長する方向に付勢される。つまり、外側弾性部及び内側弾性部の両方とも、伸長する方向に付勢されることになる。よって、外側弾性部及び内側弾性部に圧縮癖が付き難くなるという利点がある。
【図面の簡単な説明】
【００１９】
【図１】第１実施形態の保護装置が電気プラグに装着された状態を示す斜視図である。
【図２】第１実施形態の保護装置の断面図である。
【図３】第１実施形態の保護装置の斜視図である。
【図４】第１実施形態の保護装置が装着された電気プラグを電気コンセントに差し込んだ状態を示す断面図である。
【図５】第１実施形態の保護装置が装着された電気プラグを電気コンセントに差し込んだ状態で、指により保護装置を収縮させた状態を示す断面図である。
【図６】第１実施形態の保護装置が装着された電気プラグを電気コンセントから抜き取った状態を示す断面図である。
【図７】第２実施形態の保護装置が装着された電気プラグを電気コンセントに差し込んだ状態を示す断面図である。
【図８】別実施形態の保護装置の斜視図である。
【図９】別実施形態の保護装置の斜視図である。
【発明を実施するための形態】
【００２０】
＜第１実施形態＞
以下に図面を参照して本発明の第１実施形態に係る電気プラグ用の保護装置１０Ａ（１０）について説明する。
図１は、電気プラグ２に保護装置１０Ａが装着された状態を示す斜視図である。図２は、保護装置１０Ａの断面図である。図３は、保護装置１０Ａの斜視図である。図示するように、保護装置１０Ａは、電力消費装置や電源装置（例えば発電装置や充放電装置等）などの電気機器の電気コード３に接続される持ち手部２ａと、当該持ち手部２ａから先端側に向けて突出する刃部２ｂとを備える電気プラグ２の周囲の少なくとも一部を、電気コンセント１に対する電気プラグ２の刃部２ｂの抜差方向（図中に太線矢印で示す）に沿った抜差軸Ｘの軸周りで囲うように構成されている。保護装置１０Ａは、装着部１１と、内側弾性部１２と、外側弾性部１３とを備える。
【００２１】
装着部１１は、電気プラグ２に対して装着される部品である。この装着部１１により、保護装置１０Ａが電気プラグ２に対して固定される。本実施形態では、装着部１１は、絶縁性の樹脂材料などで形成された弾性変形可能な板状部材に、電気プラグ２の刃部２ｂが挿通される孔部１１ａが形成された構造になっている。そして、装着部１１の孔部１１ａに電気プラグ２の刃部２ｂが挿通されると、装着部１１の弾性力により電気プラグ２に対して装着部１１が密着して、装着部１１が電気プラグ２に対して固定される。つまり、保護装置１０Ａは、装着部１１の部分で電気プラグ２に対して固定される。
【００２２】
内側弾性部１２は、装着部１１と連結されて、その装着部１１から、刃部２ｂが突出する先端側とは反対側の後端側に向かって延びると共に、弾性変形により抜差方向に沿って伸縮可能に構成される。本実施形態では、内側弾性部１２は、絶縁性の樹脂材料などで構成された筒状部材である。内側弾性部１２は先端側で装着部１１に連結されているため、保護装置１０Ａの抜差方向に沿って外力が加えられても、装着部１１が電気プラグ２に対して固定されている限り、内側弾性部１２の先端側は抜差方向に沿って殆ど変位しない。つまり、内側弾性部１２は、その先端側が固定された状態で弾性変形することになる。
【００２３】
外側弾性部１３は、内径側に配置される内側弾性部１２と後端側で連結されて、抜差軸Ｘの軸周りで電気プラグ２の周囲を囲う状態で後端側から先端側に向けて延びると共に、弾性変形により抜差方向に沿って伸縮可能に構成される。本実施形態では、外側弾性部１３は、絶縁性の樹脂材料などで構成された筒状部材である。加えて、外側弾性部１３は、抜差方向に伸縮変形可能な蛇腹形状の筒状体で構成されている。また、抜差方向に沿った外側弾性部１３の長さに関して、外力によって収縮及び伸長していない状態での先端側から後端側までの長さ（図２の「Ｌｂ」）が、刃部２ｂの持ち手部２ａからの突出長さ（図２の「Ｌａ」）よりも長く形成されている。但し、抜差方向に沿った長さに関して、「持ち手部２ａの長さ」＋「刃部２ｂの長さ：Ｌａ」＞「外側弾性部１３の長さ：Ｌｂ」である。
【００２４】
更に、図１及び図２に示すように、電気プラグ２の刃部２ｂが電気コンセント１から抜き取られており、且つ、外側弾性部１３及び内側弾性部１２に対して指などから外力が加えられていない状態では、持ち手部２ａは外側弾性部１３に囲まれているものの、刃部２ｂは外側弾性部１３及び内側弾性部１２に覆い隠されてはおらず、露出している。そのため、電気プラグ２の刃部２ｂを電気コンセント１の差込口に差し込むときには、両者を目視しながら容易に位置合わせできる。
【００２５】
次に、保護装置１０Ａが装着された電気プラグ２が、電気コンセント１から抜き取られるまでを説明する。
図４は保護装置１０Ａが装着された電気プラグ２を電気コンセント１に差し込んだ状態を示す断面図である。このように、電気プラグ２の刃部２ｂが電気コンセント１に差し込まれた差込状態で放置されているとき、外側弾性部１３は、後端側が内側弾性部１２と連結された状態で先端側に向けて延在して、持ち手部２ａを抜差軸Ｘの軸周りで囲む状態になっている。更に、外側弾性部１３が蛇腹形状に形成されているため、その筒状体の側面部分、即ち、蛇腹形状部分を指などの接触体で持ち難くなる。つまり、指などの接触体で外側弾性部１３の外側から電気プラグ２の持ち手部２ａを強くつかもうとしても、蛇腹形状の外側弾性部１３に邪魔をされて強くつかむことはできない。その結果、電気プラグ２の持ち手部２ａを指などの接触体で持とうとする場合には、外側弾性部１３及び内側弾性部１２を接触体によって後端側から先端側へと押し込んで収縮させることで持ち手部２ａを持つような手法が自然と行われるようになる。
【００２６】
図５は保護装置１０Ａが装着された電気プラグ２を電気コンセント１に差し込んだ状態で、指により保護装置１０Ａを収縮させた状態を示す断面図である。このように、電気コンセント１に差し込まれている電気プラグ２の持ち手部２ａを指でつかもうとすると、指で外側弾性部１３及び内側弾性部１２を電気コンセント１の方に押し込むようにして収縮させて、持ち手部２ａを露出させる必要がある。そして、電気プラグ２の刃部２ｂが電気コンセント１に差し込まれた差込状態において外側弾性部１３によって囲まれている持ち手部２ａを指で持つために、外側弾性部１３及び内側弾性部１２が指で後端側から先端側へと押し込まれると、外側弾性部１３は、後端側が指に接触し且つ先端側が電気コンセント１に接触した状態で指と電気コンセント１との間で挟まれて収縮し、及び、内側弾性部１２は、後端側が指に接触し且つ先端側が装着部１１によって電気プラグ２に固定された状態で指と装着部１１との間で挟まれて収縮する。これにより、持ち手部２ａが外側弾性部１３及び内側弾性部１２によって囲まれていない領域が作り出される。
【００２７】
そして、差込状態にある電気プラグ２の持ち手部２ａを指で持って電気プラグ２の刃部２ｂを電気コンセント１から抜き取る過程で、刃部２ｂが電気コンセント１から抜き取られるにつれて、電気コンセント１と電気プラグ２の持ち手部２ａを持っている指との間隔が広がることで、外側弾性部１３は、後端側が指に接触し且つ先端側が電気コンセント１に接触した状態を保ちながら伸長し始める。
【００２８】
図６は保護装置１０Ａが装着された電気プラグ２を電気コンセント１から抜き取った状態を示す断面図である。図６に示すように、電気プラグ２の刃部２ｂを電気コンセント１から抜き取る過程で、外側弾性部１３は、後端側が指に接触し且つ先端側が電気コンセント１に接触した状態を保ちながら伸長し始め、最終的には後端側が指に接触し且つ先端側が電気コンセント１から離れて最も伸長した状態になる。このとき、内側弾性部１２は接触体と装着部１１との間で挟まれて収縮した状態になっている。このように、電気プラグ２を電気コンセント１から抜き取った状態で、持ち手部２ａが指で持たれていると、即ち、外側弾性部１３の後端側が先端側へと押し込まれた状態になっていると、上述したように外側弾性部１３は外力によって収縮していない状態での先端側から後端側までの長さ（図２の「Ｌｂ」）が刃部２ｂの持ち手部２ａからの突出長さ（図２の「Ｌａ」）よりも長く形成されているので、外側弾性部１３が持ち手部２ａよりも先端側に向けて延出して、その外側弾性部１３で刃部２ｂの全て又は大部分が囲まれることになる。従って、電気プラグ２を電気コンセント１から抜き取ったときに持ち手部２ａが指で持たれていると、外側弾性部１３で刃部２ｂの全て又は大部分が囲まれるため、刃部２ｂに人体が接触することを防止できる。特に、電気プラグ２の電気コード３に接続されているのが発電装置や充放電装置などの電源装置であったとしても、電気プラグ２の刃部２ｂで人体が感電する可能性が非常に低くなる。
【００２９】
以上のように、電気プラグ２の刃部２ｂが電気コンセント１に差し込まれた差込状態で放置されているとき、外側弾性部１３は、後端側が内側弾性部１２と連結された状態で先端側に向けて延在して、持ち手部２ａを抜差軸Ｘの軸周りで囲む状態になっている。つまり、外側弾性部１３は、抜差方向での長さが持ち手部２ａの長さ以上になった状態で、持ち手部２ａを抜差軸Ｘの軸周りで囲んでいる。このように、電気プラグ２の刃部２ｂが電気コンセント１に対して長期間にわたって差し込まれていても、その間、外側弾性部１３は少なくとも持ち手部２ａの長さ以上の長さになっており、大きく収縮した状態にはなっていない。従って、外側弾性部１３に収縮癖がつくとしても、持ち手部２ａの長さ以上の長さは保っているので、次に電気プラグ２を電気コンセント１から抜き取ったときに持ち手部２ａが指で持たれていると、外側弾性部１３によって刃部２ｂの全て又は大部分を囲むことができて、刃部２ｂに人体が接触することを防止できる。
【００３０】
特に、発電装置や充放電装置などの電源装置が電気コード３を介してこの電気プラグ２に接続されている場合、電気プラグ２が電気コンセント１から抜き取られたときに電源装置が単独運転防止機能等によって電力の出力動作を停止するとしても、電気プラグ２が電気コンセント１から抜き取られた直後には未だ電気プラグ２の刃部２ｂには電源装置から電力が僅かに出力されている可能性もある。そのような場合であっても、本発明に係る保護装置を電気プラグ２に装着していれば、外側弾性部１３で刃部２ｂの全て又は大部分を囲むことで刃部２ｂに人体が接触することを回避して、人体の感電を防止できる。
【００３１】
＜第２実施形態＞
第２実施形態の保護装置１０Ｂ（１０）は、外側弾性部１３又は内側弾性部１２の後端側に重り１４が設けられている点で第１実施形態で説明した保護装置１０Ａと異なっている。以下に第２実施形態の保護装置１０Ｂについて説明するが、上記実施形態と同様の構成については説明を省略する。
【００３２】
図７は、第２実施形態の保護装置１０Ｂが装着された電気プラグ２を電気コンセント１に差し込んだ状態を示す断面図である。図示するのは、電気コンセント１が、家屋などの施設の屋外の壁面などに設けられる屋外コンセントの場合である。この屋外コンセントとしての電気コンセント１は、雨などの侵入を避けるために、差込口が下向きになっている。そのため、電気プラグ２も下方から上方に向けて差し込まれる。
【００３３】
図示するように本実施形態の保護装置１０Ｂは、外側弾性部１３の後端側に重り１４が設けられている。そのため、保護装置１０Ｂが装着された電気プラグ２の刃部２ｂが電気コンセント１に差し込まれると、重り１４の重さによって外側弾性部１３の後端側が下方に、即ち、電気コンセント１から離れて伸長する方向に付勢される。加えて、外側弾性部１３の後端側で連結されている内側弾性部１２の後端側も、重り１４の重さによって内側弾性部１２の後端側が下方に、即ち、電気コンセント１から離れて伸長する方向に付勢される。つまり、外側弾性部１３及び内側弾性部１２の両方とも、保護装置１０Ｂが装着された電気プラグ２の刃部２ｂが電気コンセント１に差し込まれた状態では、伸長する方向に付勢されることになる。よって、外側弾性部１３及び内側弾性部１２に圧縮癖が付き難くなるという利点がある。
【００３４】
＜別実施形態＞
＜１＞
上記実施形態では、本発明の電気プラグ用の保護装置の構成について具体例を挙げて説明したが、その構成は適宜変更可能である。例えば、内側弾性部１２及び外側弾性部１３の形状は上記実施形態で説明した具体例には限定されず、適宜変更可能である。
図８は、別実施形態の保護装置１０Ｃ（１０）の斜視図である。図示するように、保護装置１０Ｃにおいて、内側弾性部１２は、樹脂材料などの弾性変形可能な短冊状の部材で構成される。そして、装着部１１と外側弾性部１３の後端側とが、一対の短冊状の内側弾性部１２によって連結される。
【００３５】
また、図９は、別実施形態の保護装置１０Ｄ（１０）の斜視図である。図示するように、保護装置１０Ｄにおいて、内側弾性部１２は、樹脂材料などの弾性変形可能ならせん状の部材で構成される。また、外側弾性部１３も、樹脂材料などの弾性変形可能ならせん状の部材で構成される。そして、装着部１１と内側弾性部１２の先端側が連結され、内側弾性部１２の後端側と外側弾性部１３の後端側とが連結される。
【００３６】
＜２＞
上記実施形態では、装着部１１の孔部１１ａに対して電気プラグ２の刃部２ｂが挿通されることで装着部１１が電気プラグ２に対して固定される例を説明したが、装着部１１を電気プラグ２に対して固定できるのであれば、その装着形態は適宜変更可能である。
例えば、上記実施形態では、装着部１１の２つの孔部１１ａに対して電気プラグ２の２つの刃部２ｂのそれぞれが挿通されて密着する例を説明したが、装着部１１が１つの孔を有し、その孔に対して電気プラグ２の持ち手部２ａが嵌まることで両者が装着部１１の弾性力により密着して固定されるように改変することもできる。
他にも、装着部１１が自身の弾性力により電気プラグ２に対して密着するのではなく、装着部１１が例えば粘着剤（粘着シール）などで電気プラグ２に装着されてもよい。また、装着部１１が粘着剤で電気プラグ２に装着されるのであれば、装着部１１は弾性変形し難い材料であってもよい。
【００３７】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００３８】
本発明は、長期間にわたって電気プラグを保護する役割を果たすことができる電気プラグ用の保護装置に利用できる。
【符号の説明】
【００３９】
１  電気コンセント
２  電気プラグ
２ａ  持ち手部
２ｂ  刃部
３  電気コード
１０  保護装置
１１  装着部
１１ａ  孔部
１２  内側弾性部
１３  外側弾性部
１４  重り
【図１】
2018018676.tif 000003
【図２】
2018018676.tif 000004
【図３】
2018018676.tif 000005
【図４】
2018018676.tif 000006
【図５】
2018018676.tif 000007
【図６】
2018018676.tif 000008
【図７】
2018018676.tif 000009
【図８】
2018018676.tif 000010
【図９】
2018018676.tif 000011